Podtech/llm-jp-corpus-v4-ja_patent huggingface dataset:
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
溶接継ぎ目を有する物品にカールを形成するための装置であって、前記装置は、
共通のヘッドに取り付けられたローラーの第１のセットを有する第１の成形具であって、前記ローラーの第１のセットは第１の溝半径を有するそれぞれの溝を有し、前記ローラーの第１のセットは前記物品の開放端部に第１のカール半径を有する第１のカールを形成するよう構成される、第１の成形具と、
前記物品を前記第１の成形具に装填するよう構成された第１の回転ターレットと、
共通のヘッドに取り付けられたローラーの第２のセットを有する第２の成形具であって、前記ローラーの第２のセットは第２の溝半径を有するそれぞれの溝を有し、前記第２の溝半径は前記第１の溝半径よりも大きなものであり、前記ローラーの第２のセットは、修正されたカールの上端付近に第２のカール半径を有する前記修正されたカールを形成すると共に前記修正されたカールの底部付近で前記第１のカール半径を維持するよう構成される、第２の成形具と、
前記物品を前記第２の成形具に装填するよう構成された第２の回転ターレットと、
前記物品を前記第１の回転ターレットから前記第２の回転ターレットへと移送するよう構成された第１の移送スターホイールと
を備える装置。
【請求項２】
前記ローラーの第１のセットは一つ以上のローラーを備え、かつ、前記ローラーの第２のセットは一つ以上のローラーを備える、請求項１に記載の装置。
【請求項３】
共通のヘッドに取り付けられたローラーの第３のセットを有する第３の成形具であって、前記ローラーの第３のセットは第３の溝半径を有するそれぞれの溝を有し、前記第３の溝半径は前記第１の溝半径よりも大きなものである、第３の成形具と、
前記物品を前記第３の成形具に装填するよう構成された第３の回転ターレットと、
前記物品を前記第２の回転ターレットから前記第３の回転ターレットへと移送するよう構成された第２の移送スターホイールと、をさらに備える、請求項１に記載の装置。
【請求項４】
前記物品はエアロゾル缶である、請求項１に記載の装置。
【請求項５】
前記第１および第２の回転ターレットは連続的に回転する、請求項１に記載の装置。
【請求項６】
前記ローラーの第１のセットは前記物品の上端縁部にカールを形成するよう構成され、かつ、前記ローラーの第２のセットは、前記ローラーの第１のセットによって形成されたカールを修正するよう構成される、請求項１に記載の装置。
【請求項７】
前記ローラーの第１のセットによって形成されたカールは第１のカール半径を有し、かつ、前記ローラーの第２のセットによって形成された修正されたカールは、前記第１のカール半径よりも大きな第２のカール半径を有する、請求項６に記載の装置。
【請求項８】
物品の上端縁部にカールを形成する方法であって、前記方法は、
物品を第１の回転ターレットに供給するステップと、
ローラーの第１のセットを有する第１の成形具に前記物品を装填するステップと、
前記ローラーの第１のセットを使用して前記物品の上端縁部にカールを形成するステップであって、前記カールは第１の半径を有するものであるステップと、
前記カールを有する前記物品を第２の回転ターレットに移送するステップと、
前記カールを有する前記物品を、ローラーの第２のセットを有する第２の成形具に装填するステップと、
前記ローラーの第２のセットを使用して前記カールを修正するステップであって、修正されたカールは、この修正されたカールの上端付近に第２の半径を、そして前記修正されたカールの底部付近に第３の半径を有し、前記第２の半径は前記第１の半径よりも大きなものであり、前記第３の半径は前記第１の半径と略同じであるステップと
を備える、方法。
【請求項９】
前記ローラーの第１のセットが一つ以上のローラーを備え、かつ、前記ローラーの第２のセットが一つ以上のローラーを備える、請求項８に記載の方法。
【請求項１０】
前記物品がエアロゾル缶である、請求項８に記載の方法。
【請求項１１】
前記第１および第２の回転ターレットは連続的に回転する、請求項８に記載の方法。
【請求項１２】
前記物品の移送は移送スターホイールによって行われる、請求項８に記載の方法。
【請求項１３】
前記ローラーの第１のセットは前記カールを形成するために使用されるそれぞれの第１の溝を有し、かつ、前記ローラーの第２のセットは前記カールを修正するために使用されるそれぞれの第２の溝を有し、前記第２の溝は第１の溝よりも大きな溝半径を有する、請求項８に記載の方法。
【請求項１４】
修正されたカールを有する前記物品を第３の回転ターレットへと移送するステップと、
修正されたカールを有する前記物品を、ローラーの第３のセットを有する第３の成形具に装填するステップと、
前記ローラーの第３のセットを使用して前記カールをさらに修正するステップであって、さらに修正されたカールは第３の半径を有し、前記第３の半径は前記第１および第２の半径よりも大きなものであるステップと
をさらに備える、請求項８に記載の方法。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
クロマトグラフィー表面を含み、前記クロマトグラフィー表面がイオン対結合部分を含む、高純度クロマトグラフィー材料。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
車両ホイール上のＴＰＭＳセンサーを修理するのに使用する多機能タイヤ空気圧監視システム（ＴＰＭＳ）トルク工具であって、
縦軸を有する細長い工具本体と、
横軸に対して横方向に配置されたチャックを有する、前記工具本体の一端に配置されたトルクドライバーと、
前記チャックによって前記横軸の周りでＴＰＭＳセンサー締結具に加えられるトルク力を測定するように動作可能な、前記工具本体に接続されたトルクセンサーと、
前記工具本体に接続された電子制御ユニットであって、少なくとも１つの基準ＴＰＭＳセンサー締結具トルク値を記憶するためのメモリ記憶装置を有する電子制御ユニットと、
前記トルクセンサー及び前記電子制御ユニットと電子的に通信して前記工具本体に接続されたユーザーインターフェースであって、測定されたＴＰＭＳセンサー締結具のトルク値が記憶されている少なくとも１つの基準ＴＰＭＳセンサー締結具トルク値以上であるときにユーザーに警告するように動作するユーザーインターフェースと
を含む、工具。
【請求項２】
細長いシャフトと、前記チャックと取り外し可能に係合される第１端と、前記第１端の反対側の第２端とを有するビットホルダーを更に含む、請求項１に記載の工具。
【請求項３】
前記ビットホルダーの第１端と取り外し可能に係合されるねじ駆動ビットと、
前記ビットホルダーの第２端と取り外し可能に係合されるソケットと
を更に含み、前記ねじ駆動ビット及び前記ソケットは、各ＴＰＭＳセンサーねじ及びナットと選択的に係合可能である、請求項２に記載の工具。
【請求項４】
前記ビットホルダーの第１端は、前記横軸に沿って多面の細長い穴を画定し、前記ねじ駆動ビットは、前記細長い穴に摺動可能に受け入れられ、前記横軸の周りの前記ビットホルダーに対する前記ねじ駆動ビットの回転を防止する、請求項３に記載の工具。
【請求項５】
前記ソケットは、本体と、前記本体の両側にある第１端及び第２端とを更に含み、前記第１端は、第１サイズのＴＰＭＳセンサー締結具受け入れ口を含み、前記第２端は、第２サイズのＴＰＭＳセンサー締結具受け入れ口を含み、前記第２サイズは前記第１サイズとは異なるサイズであり、前記ソケットの本体は、前記ビットホルダーのシャフトとの摺動係合のための前記横軸に沿った多面の穴を画定し、前記横軸の周りの前記ビットホルダーに対する前記ソケットの回転を防止する、請求項３に記載の工具。
【請求項６】
前記少なくとも１つの基準ＴＰＭＳセンサー締結具トルク値は、前記工具のメモリ記憶装置に格納されているデータベースに整理された複数の基準ＴＰＭＳセンサー締結具トルク値を含む、請求項１に記載の工具。
【請求項７】
前記工具のメモリ記憶装置に記憶されている複数のＴＰＭＳセンサーの情報を含む情報データベースと、
前記工具のメモリ記憶装置に記憶されている複数のＴＰＭＳセンサーブランドの情報を含む情報データベースと
を更に含む、請求項６に記載の工具。
【請求項８】
前記ユーザーインターフェースは、
視覚ディスプレイと、
記憶された少なくとも１つの基準ＴＰＭＳセンサー締結具トルク値を読み出すように動作可能な、前記視覚ディスプレイ上に配置されたグラフィックユーザーインターフェースと、
前記グラフィックユーザーインターフェースをナビゲートするためのキーパッドと
を更に含む、請求項１に記載の工具。
【請求項９】
前記グラフィックユーザーインターフェースは、
手動動作モードと、
車両メーカー及び年式の動作モードと、
ＴＰＭＳバルブの動作モードと、
ＴＰＭＳセンサーブランドの動作モードと
を含む、請求項８に記載の工具。
【請求項１０】
前記電子制御ユニットは、前記メモリ記憶装置及び前記ユーザーインターフェースと通信するマイクロプロセッサを更に含み、前記マイクロプロセッサは、測定されたＴＰＭＳセンサー締結具のトルク値を前記基準ＴＰＭＳセンサートルク値と比較して、前記警告が必要か否かを判断するように動作可能である、請求項１に記載の工具。
【請求項１１】
前記電子制御ユニットは、遠隔装置からＴＰＭＳセンサーの識別又は前記基準ＴＰＭＳセンサー締結具トルク値の一方を受信するように動作する信号受信機を更に含む、請求項１に記載の工具。
【請求項１２】
前記遠隔装置は手持ちＴＰＭＳ工具を含む、請求項１１に記載の工具。
【請求項１３】
ＴＰＭＳバルブグロメット除去装置を更に含む、請求項１に記載の工具。
【請求項１４】
前記工具のメモリ記憶装置に記憶されている複数のＴＰＭＳセンサーに関するＴＰＭＳセンサー情報を含む情報データベースを更に含む、請求項６に記載の工具。
【請求項１５】
前記工具のメモリ記憶装置に記憶されている複数のＴＰＭＳブランド又は複数のＴＰＭＳモデル番号のうちの一方に関するＴＰＭＳセンサー情報を含む情報データベースを更に含む、請求項６に記載の工具。
【請求項１６】
前記グラフィックユーザーインターフェースは、
手動操作モードと、
車両メーカー及び年式の動作モード、又はＴＰＭＳバルブの動作モード、又はＴＰＭＳセンサーブランドの動作モードのうちの１つと
を含む、請求項８に記載の工具。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
熱可塑性ポリマーによって互いに結び付いている強化繊維のランダムな交差によって規定されるウェブオープンセル構造を含む熱可塑性コア層であって、前記コア層の熱への曝露の後の厚さを増加させてロフティング後コア層を得るのに有効なロフティング剤を更に含む熱可塑性コア層；
前記コア層の第１の表面の上に配置されているスキン材料；及び
前記コア層と前記スキン材料との間に配置されている接着層であって、熱可塑性ポリマーと、１９８２年１０月１日の日付のＤＩＮ  ５３３５７Ａによって試験される前記スキン材料と前記ロフティング後コア層との間の成形後の剥離強度を少なくとも０．５Ｎ／ｃｍにするのに有効な量の熱硬化性材料と、を含む接着層；
を含む、アンダーボディシールド組成物。
【請求項２】
前記接着層がフィルムではない接着層として存在する、請求項１に記載のアンダーボディシールド組成物。
【請求項３】
前記スキン材料が、生地、スクリム、フィルム、及びこれらの組み合わせからなる群から選択される、請求項１に記載のアンダーボディシールド組成物。
【請求項４】
前記繊維で強化されたポリマーコアが前記ポリマーコアの０体積％より大きく約９５体積％までの空隙率を有する、請求項３に記載のアンダーボディシールド組成物。
【請求項５】
前記スキン材料が少なくとも６５ｇｓｍの目付及び少なくとも２０％の破断伸びを有する多孔質不織材料を含む、請求項１に記載のアンダーボディシールド組成物。
【請求項６】
前記スキン材料が前記ポリマーコアの平面状の表面全体の上に配置される、請求項１に記載のアンダーボディシールド組成物。
【請求項７】
前記スキン材料が、前記ポリマーコアの表面上にストリップとして配置される、請求項１に記載のアンダーボディシールド組成物。
【請求項８】
前記アンダーボディシールドが自動車の車台と結合するように構成及び配置される、請求項１に記載のアンダーボディシールド組成物。
【請求項９】
前記アンダーボディシールドが約３０００ｇｓｍ未満の目付を有する、請求項１に記載のアンダーボディシールド組成物。
【請求項１０】
前記繊維で強化されたポリマーコアが前記コアの約２０体積％〜約８０体積％の空隙率を有する、請求項１に記載のアンダーボディシールド組成物。
【請求項１１】
前記ポリマー樹脂の中に分散されている前記繊維が、約５ミクロン超の直径と、約５ｍｍ〜約２００ｍｍの長さを有する繊維を含む、請求項１に記載のアンダーボディシールド組成物。
【請求項１２】
前記ポリマー樹脂が、ポリオレフィン樹脂、熱可塑性ポリオレフィンブレンド樹脂、ポリビニルポリマー樹脂、ブタジエンポリマー樹脂、アクリルポリマー樹脂、ポリアミド樹脂、ポリエステル樹脂、ポリカーボネート樹脂、ポリエステルカーボネート樹脂、ポリスチレン樹脂、アクリロニトリルスチレンポリマー樹脂、アクリロニトリル−ブチルアクリレート−スチレンポリマー樹脂、ポリエーテルイミド樹脂、ポリフェニレンエーテル樹脂、ポリフェニレンオキサイド樹脂、ポリフェニレンサルファイド樹脂、ポリエーテル樹脂、ポリエーテルケトン樹脂、ポリアセタール樹脂、ポリウレタン樹脂、ポリベンズイミダゾール樹脂、並びにこれらのコポリマー及び混合物からなる群から選択される、請求項１に記載のアンダーボディシールド組成物。
【請求項１３】
前記コアの前記繊維が、ガラス繊維、炭素繊維、グラファイト繊維、合成有機繊維、無機繊維、天然繊維、鉱物繊維、金属繊維、金属化無機繊維、金属化合成繊維、セラミック繊維、及びこれらの組み合わせからなる群から選択される、請求項１に記載のアンダーボディシールド組成物。
【請求項１４】
前記接着層の前記熱可塑性ポリマーがポリオレフィンを含む、請求項１に記載のアンダーボディシールド組成物。
【請求項１５】
前記接着層の前記熱硬化性材料が前記接着層の５０重量％未満で存在する、請求項１４に記載のアンダーボディシールド組成物。
【請求項１６】
前記熱硬化性材料が少なくとも１つのエポキシ基を含むエポキシ接着剤である、請求項１５に記載のアンダーボディシールド組成物。
【請求項１７】
前記コア層の第２の表面上に配置されている追加的なスキン材料と、前記追加的なスキン材料と前記コア層との間に配置されている第２の接着層を更に含み、前記第２の接着層は、熱可塑性ポリマーと、１９８２年１０月１日の日付のＤＩＮ  ５３３５７Ａによって試験される前記追加的なスキン材料と前記ロフティング後コア層との間の剥離強度を少なくとも０．５Ｎ／ｃｍにするのに有効な量の熱硬化性材料と、を含む、請求項１に記載のアンダーボディシールド組成物。
【請求項１８】
前記第２の接着層の前記熱可塑性ポリマーがポリオレフィンを含む、請求項１７に記載のアンダーボディシールド組成物。
【請求項１９】
前記第２の接着層の前記熱硬化性材料が前記第２の接着層の５０重量％未満で存在する、請求項１８に記載のアンダーボディシールド組成物。
【請求項２０】
前記第２の接着層の前記熱硬化性材料がエポキシ基を含むかエポキシ接着剤である、請求項１９に記載のアンダーボディシールド組成物。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
多孔質ガス吸着剤モノリスであって、
少なくとも７７重量％の量で存在し、容積ベースで約０．３ｃｃ／ｃｃまたはそれを越える、２５Å未満の平均孔容積を有する活性炭吸着剤と、
２０重量％を超えない量で存在する高分子結合剤と、
３重量％を超えない量で存在するポリマー繊維足場材料との混和物を含み、
前記多孔質ガス吸着剤モノリスが、一辺が少なくとも約８８．９ｍｍ、高さが約１９．０５ｍｍ〜約２５４ｍｍであり、材料が１１０℃〜約１８０℃までの温度で乾燥される、モノリス。
【請求項２】
前記足場材料が天然繊維足場、合成繊維足場、またはそれらの組み合わせのうち少なくとも１つを含む、請求項１に記載のモノリス。
【請求項３】
前記合成繊維足場がポリプロピレン繊維、ポリエステル繊維、またはそれらの組み合わせのうち少なくとも１つを含む、請求項２に記載のモノリス。
【請求項４】
前記モノリスが約１１０℃〜約１５０℃の範囲の乾燥温度を持つ、請求項１に記載のモノリス。
【請求項５】
前記乾燥温度が約１６５℃である、請求項４に記載のモノリス。
【請求項６】
前記足場材料のガラス転移温度（Ｔｇ）が約２００℃〜約２７０℃の範囲である、請求項１に記載のモノリス。
【請求項７】
前記足場材料のＴｇが２５０℃である、請求項１に記載のモノリス。
【請求項８】
多孔質ガス吸着剤モノリスを作製する方法であって、前記方法が、
吸着剤、高分子結合剤、および高分子足場材料を混和する工程であって、多孔質ガス吸着剤モノリスの一辺が少なくとも約８８．９ｍｍ、高さが約１９．０５ｍｍ〜約２５４ｍｍである、混和する工程と、
前記混和物を造形構造に圧縮する工程と、
前記圧縮混和物に熱をかける工程とを含む、方法。
【請求項９】
請求項８の方法であって、
前記吸着剤が少なくとも７７重量％の量で存在する、
前記結合剤が２０重量％を超えない量で存在する、
前記足場材料が３重量％を超えない量で存在する、のうち少なくとも１つに該当する、方法。
【請求項１０】
前記足場材料が天然繊維足場および合成繊維足場のうち少なくとも１つを含む、請求項８に記載の物品。
【請求項１１】
前記合成繊維足場がポリプロピレン繊維およびポリエステル繊維のうち少なくとも１つを含む、請求項１０に記載の物品。
【請求項１２】
前記混和物を圧縮する前記工程が、少なくとも１，２５０ｐｓｉの圧力をかける工程を含む、請求項８に記載の方法。
【請求項１３】
かけられた圧力が１，５００ｐｓｉを超える、請求項１２に記載の方法。
【請求項１４】
金型の形状が円形、卵形、楕円形、長方形および正方形のうち少なくとも１つである、請求項８に記載の方法。
【請求項１５】
ガス状貯蔵システムであって、
容器と、
請求項１に記載の多孔質ガス吸着剤モノリスとを備える、システム。
【請求項１６】
請求項１５に記載のガス状炭化水素貯蔵システムであって、
（ａ）前記活性炭吸着剤が少なくとも７７重量％の量で存在し、前記高分子結合剤が２０重量％を超えない量で存在し、前記高分子繊維足場材料が３重量％を超えない量で存在する、
（ｂ）前記容器が少なくとも１，０００ｐｓｉに耐えるよう構成される、
のうち少なくとも１つに該当する、システム。
【請求項１７】
前記高分子結合剤がポリテトラフルオロエチレンである、請求項１に記載のモノリス。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
アルコールとガソリンとの供給混合物からアルコールを選択的に浸透気化させるための複合膜であって、
互いに反対側を向いた第１主面及び第２主面、並びに複数の細孔を含む多孔質基材と、
ポリマー組成物と、を含み、前記ポリマー組成物は、
（ａ）細孔充填ポリマー組成物ではないＰＶＰ含有ポリマー組成物、
（ｂ）７５重量％超のＰＶＰを含むＰＶＰ含有ポリマー組成物であって、前記多孔質基材中及び／若しくは前記多孔質基材上に存在するＰＶＰ含有ポリマー組成物、
（ｃ）１種以上のエチレン性不飽和モノマー及び／若しくはオリゴマー由来のポリマーを含まない１種以上の更なるポリマーを含むＰＶＰ含有ポリマー組成物であって、前記多孔質基材中及び／若しくは前記多孔質基材上に存在するＰＶＰ含有ポリマー組成物、又は
（ｄ）前記多孔質基材中及び／若しくは前記多孔質基材上に配置されたＰＶＬ含有ポリマー組成物であり、
前記ポリマー組成物は、厚さを有するポリマー層を形成し、
前記ポリマー組成物は、ガソリンよりもアルコールに対する透過性がより高い、複合膜。
【請求項２】
前記複合膜が非対称複合膜であり、前記多孔質基材の前記第１主面における、又は、前記第１主面上の、又は、前記第１主面に隣接した、前記ポリマー組成物の量が、前記多孔質基材の前記第２主面における、又は、前記第２主面上の、又は、前記第２主面に隣接した、前記ポリマー組成物の量よりも多い、請求項１に記載の複合膜。
【請求項３】
前記ＰＶＰ含有ポリマー組成物又は前記ＰＶＬ含有ポリマー組成物が、前記多孔質基材との接触前に形成される、請求項１または２のいずれか一項に記載の複合膜。
【請求項４】
前記ＰＶＰ含有ポリマー組成物がＰＶＰホモポリマー又はＰＶＰコポリマーを含む、請求項１〜３のいずれか一項に記載の複合膜。
【請求項５】
前記ＰＶＬ含有ポリマー組成物がＰＶＬホモポリマー又はＰＶＬコポリマーを含む、請求項１〜４のいずれか一項に記載の複合膜。
【請求項６】
前記ポリマー組成物が、前記多孔質基材の前記第１主面の少なくとも一部を形成する細孔充填ポリマー層の形態の細孔充填ポリマー組成物である、請求項１〜５のいずれか一項に記載の複合膜。
【請求項７】
（ａ）前記ポリマー組成物と混合されたイオン性液体、又は
（ｂ）前記複合膜上に配置された非晶質フッ素系フィルム
のうちの少なくとも１つを更に含む、請求項１〜６のいずれか一項に記載の複合膜。
【請求項８】
前記非晶質フッ素系フィルムが、少なくとも１００℃のＴｇを有する非晶質ガラス状パーフルオロポリマーを含む、請求項７に記載の複合膜。
【請求項９】
アルコールとガソリンとの混合物からアルコールを分離するためのカートリッジであって、請求項１〜８のいずれか一項に記載の複合膜を含む、カートリッジ。
【請求項１０】
エタノールとガソリンとの混合物からエタノールを分離するための方法であって、前記混合物を、請求項１〜８のいずれか一項に記載の複合膜に接触させることを含む、方法。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
電気器具を電源配線と接続し、前記器具を支持部上に取り付けるための装置であって、
少なくとも１つの内部キャビティを内部に有するソケット本体を含むソケットと、
前記電源配線と前記ソケットとの間に電気接続を確立するための、前記キャビティ内に配置された導電性接点端子と、
前記器具に剛に取り付けられ、前記ソケット内に挿入可能なプラグであって、前記器具に電気的に接続され、前記電気器具と前記電源配線との間に回路を確立するために前記ソケット内の前記接点端子と係合可能な少なくとも１つのオスコネクタを有するプラグと、
前記器具を前記支持部上に解放可能に取り付けるための、前記プラグ及び前記ソケットの結合体上に支持される解放可能なラッチと、
感知状態の無線通信及び信号の無線受信のうちの少なくとも一方のための感知ユニットであって、前記プラグ及び前記ソケットの少なくとも一方に電気的に結合された感知ユニットと、
を備えることを特徴とする装置。
【請求項２】
前記感知ユニットは、前記プラグに電気的及び／又は機械的に結合されることを特徴とする、請求項１に記載の装置。
【請求項３】
前記電気器具と前記電源配線との間の前記回路は、前記感知ユニットを通じて確立されることを特徴とする、請求項２に記載の装置。
【請求項４】
前記感知ユニットは、感知状態を無線で通信する及び／又は信号を無線で受信することを特徴とする、請求項１〜請求項３のいずれかに記載の装置。
【請求項５】
前記信号は、前記装置及び／又は前記関連した電気器具を制御するためのコマンド信号であることを特徴とする、請求項４に記載の装置。
【請求項６】
前記コマンド信号は、前記感知状態からもたらされる、又は前記感知状態から独立していることを特徴とする、請求項５に記載の装置。
【請求項７】
前記感知ユニットは、ＲＦ、Ｗｉ−Ｆｉ及びＢｌｕｅｔｏｏｔｈセンサのうちの少なくとも１つを受信するための伝送センサを含むことを特徴とする、請求項１〜請求項６のいずれかに記載の装置。
【請求項８】
前記感知ユニットは、環境条件を判定するための環境センサを含み、前記環境条件は、温度、湿度、煙、一酸化炭素、動き、及び存在の少なくとも１つを含むことを特徴とする、請求項１〜請求項７のいずれかに記載の装置。
【請求項９】
前記感知ユニットは、セキュリティ・センサを含み、前記セキュリティ・センサは、セキュリティ・カメラ、ガラス破損検出器、動き／存在検出器、及び／又は非常用照明の少なくとも１つを含むことを特徴とする、請求項１〜請求項８のいずれかに記載の装置。
【請求項１０】
前記プラグは複数の歯を有し、前記ソケットは複数の歯を有し、前記プラグの前記複数の歯は、前記ソケットの前記複数の歯と係合して、前記プラグ及び前記ソケットの相対回転運動を制限することを特徴とする、請求項１〜請求項９のいずれかに記載の装置。
【請求項１１】
前記プラグの前記複数の歯及び前記ソケットの前記複数の歯は、対向する面上に配置されることを特徴とする、請求項１０に記載の装置。
【請求項１２】
前記プラグの前記複数の歯は前記プラグの周囲上に配置され、前記ソケットの前記複数の歯は前記ソケットの周囲上に配置されることを特徴とする、請求項１０に記載の装置。
【請求項１３】
電気器具を電源配線と接続し、前記器具を支持部上に取り付けるための装置用のプラグであって、前記プラグは、前記器具に剛に取り付け可能であり、且つ、
前記器具に電気的に接続され、前記電気器具と前記電源配線との間に回路を確立するように前記ソケット内の前記接点端子と係合可能な少なくとも１つのオスコネクタと、
前記器具を前記支持部上に解放可能に取り付けるための、前記プラグ及び前記ソケットの結合体上に支持される解放可能なラッチと、
感知状態の無線通信及び信号の無線受信の少なくとも一方のための感知ユニットであって、前記プラグ及び前記ソケットの少なくとも一方に電気的に結合された感知ユニットと、
を備えることを特徴とする、プラグ。
【請求項１４】
電気器具を接続するための装置であって、
プラグ本体と、前記本体に接続された複数の同心導電性リングと、前記同心リングによって定められる軸に沿って延び、軸方向に延びるチャネル及び保持ボールを収容する少なくとも１つの半径方向に延びるシャフトを含む円筒形支柱と、前記軸方向に延びるチャネル内で移動可能であり、第１の位置において前記軸方向に延びるチャネルから突出するように前記保持ボールを押し且つ第２の位置において前記保持ボールが突出しないように前記チャネル内に後退するのを可能にする半径方向プロファイルを有するプランジャとを含む第１の電気プラグと、
前記プラグの少なくとも１つの同心導電性リングに電気的に接続される少なくとも１つのセンサと、
複数の導体を有する電線であって、対向する近位端及び遠位端を定め、１つの導体は前記近位端において前記同心導電性リングの少なくとも１つに電気的に接続される、電線と、
前記導体の前記遠位端に接続され、第２の電気プラグがソケットに挿入されるとき、前記第１の電気プラグに対して定められるような第２の電気プラグと嵌合可能なソケットを含む延長ハウジングと、
を備え、前記ソケットは、前記第２の電気プラグの円筒形支柱を受けるようなサイズにされ、前記支柱により定められる半径を下回らない半径を有する部分及び突出する保持ボールを定めるチャネルと、前記複数の同心リングと嵌合可能な複数の同心チャネルと、各々が前記同心チャネルの近くに配置され、前記同心リングが前記同心チャネル内に嵌合されるとき、前記同心導電性リングの１つに電気的に接触するように位置決めされた複数の電気端子とを含み、前記電気端子の少なくとも１つは前記電線の導体に接続されることを特徴とする、装置。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
電子メッセージを受信するレシーバポートと、
前記電子メッセージに含まれるリクエスト及びコミットメントを識別又は管理するための１つ以上の予測モデルを構築することと、
前記１つ以上の予測モデルを使用して、前記電子メッセージのコンテンツにおけるリクエスト及び対応するコミットメントを含むタスク内容を判別し、前記リクエスト及び前記対応するコミットメントに少なくとも部分的に基づいて、非公式協定を判別することと、
前記タスク内容を処理して、前記リクエスト又は前記対応するコミットメントの意味と、前記リクエストを満足するために使用される１つ以上の情報ソースと、を推論することと、
前記の推論された意味に基づいて、前記１つ以上の情報ソースのコンテンツについて問い合わせることと、
前記問い合わせることに応じて前記１つ以上の情報ソースから受信された情報及び前記の推論された意味とともに、前記１つ以上の予測モデルを使用して、前記非公式協定に少なくとも部分的に基づいて、１つ以上のタスク指向型アクションを自動的に決定することと、
前記非公式協定を管理するために前記１つ以上のタスク指向型アクションを自動的に実行することであって、前記１つ以上のタスク指向型アクションは、前記リクエスト又は前記対応するコミットメントに少なくとも部分的に基づく、実行することと、
を行うプロセッサと、
を備えるシステム。
【請求項２】
前記１つ以上の情報ソースから受信された前記情報は、前記電子メッセージの前記コンテンツの１人以上の作成者の個人データを含む、請求項１記載のシステム。
【請求項３】
前記１つ以上のタスク指向型アクションは、前記対応するコミットメントが特定の人により遂行される可能性を決定することを含み、前記決定することは、前記１つ以上の情報ソースから受信された前記情報に少なくとも部分的に基づく、請求項１記載のシステム。
【請求項４】
前記リクエスト又は前記対応するコミットメントの対象は、ミーティングに関連付けられ、
前記１つ以上のタスク指向型アクションは、前記１つ以上の情報ソースから受信された前記情報に少なくとも部分的に基づいて、前記ミーティングの出席者リスト又は場所を自動的に特定又は変更することを含む、請求項１記載のシステム。
【請求項５】
前記１つ以上の情報ソースは、位置又はマッピングサービス、前記電子メッセージの前記コンテンツの１人以上の作成者の個人データ、カレンダーサービス、及びミーティングルームスケジュールサービスのうちの少なくとも１つを含む、請求項４記載のシステム。
【請求項６】
前記１つ以上のタスク指向型アクションは、前記電子メッセージの前記コンテンツの１人以上の作成者の電子カレンダーを変更することを含む、請求項１記載のシステム。
【請求項７】
データを受信及び送信するトランシーバポートと、
電子メッセージコンテンツに含まれるリクエスト及びコミットメントを識別又は管理するための１つ以上の予測モデルを使用して、電子メッセージに含まれるリクエスト及び対応するコミットメントを検出することと、
前記の検出されたリクエスト及び対応するコミットメントを処理して、前記リクエスト又は前記対応するコミットメントの意味と、前記リクエストを満足するために使用される１つ以上の情報ソースと、を推論することと、
前記トランシーバポートを介して、前記１つ以上の情報ソースから情報を取得するためのクエリを送信することであって、前記クエリは、前記の推論された意味に少なくとも部分的に基づく、送信することと、
前記１つ以上の予測モデルを使用して、１つ以上のタスク指向型アクションを決定し、前記１つ以上のタスク指向型アクションを自動的に実行することにより、前記リクエスト又は前記対応するコミットメントに関連付けられた１つ以上のタスクを管理することであって、前記１つ以上のタスクは、前記の取得された情報に少なくとも部分的に基づく、管理することと、
を行うプロセッサと、
を備えるコンピューティングデバイス。
【請求項８】
前記の取得された情報は、天気予報を含み、前記１つ以上のタスクは、前記天気予報に少なくとも部分的に基づいて、前記リクエスト又は前記対応するコミットメントに関連付けられたスケジュールを変更することを含む、請求項７記載のコンピューティングデバイス。
【請求項９】
前記プロセッサは、
前記電子メッセージ又は前記の取得された情報を、機械学習プロセスのためのトレーニングデータとして提供することと、
前記機械学習プロセスを適用して、前記１つ以上の予測モデルをさらにトレーニングすることと、
を行うよう構成されている、請求項７記載のコンピューティングデバイス。
【請求項１０】
前記１つ以上のタスクは、ある時間期間にわたって、前記電子メッセージの１人以上の作成者のスケジュールを反復的に変更することを含む、請求項７記載のコンピューティングデバイス。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
処理チャンバと、
前記処理チャンバ内に配置された基板ハンドリングロボットと、
前記処理チャンバ内に配置されたアライメントステーションと、
アライメントプロセス中に基板を加熱するために前記アライメントステーションの上方に配置された複数のＬＥＤを含むＬＥＤアレイと、
を備える基板ハンドリング及び加熱システム。
【請求項２】
前記複数のＬＥＤは０．４μｍ〜１．０μｍの波長で発光する、請求項１記載の基板ハンドリング及び加熱システム。
【請求項３】
前記アライメントステーションは回転表面を備え、前記回転表面が回転している間前記複数のＬＥＤが点灯される、請求項１記載の基板ハンドリング及び加熱システム。
【請求項４】
基板が置かれる回転表面と、前記基板の一方の側に配置されたエミッタと前記基板の反対側に配置された検出器とを含む検出システムと、を備えるアライメントステーションと、
前記基板が前記回転表面上に置かれたとき基板の少なくとも一部分の上方に配置される複数のＬＥＤを含むＬＥＤアレイと、
前記ＬＥＤアレイを点灯及び消灯するコントローラと、
を備える基板ハンドリング及び加熱システム。
【請求項５】
前記ＬＥＤアレイは複数のゾーンを備え、各ゾーンは前記コントローラにより独立に制御される、請求項４記載の基板ハンドリング及び加熱システム。
【請求項６】
前記コントローラは、前記回転表面が回転するとき前記ＬＥＤアレイ内の前記複数のＬＥＤを点灯する、請求項４記載の基板ハンドリング及び加熱システム。
【請求項７】
前記複数のＬＥＤは０．４μｍ〜１．０μｍの波長で発光する、請求項４記載の基板ハンドリング及び加熱システム。
【請求項８】
前記検出器は前記複数のＬＥＤにより放射される光と異なる第２の波長の光を検出する、請求項７記載の基板ハンドリング及び加熱システム。
【請求項９】
前記検出器は前記複数のＬＥＤにより放射された光を除去するノッチフィルタを備える、請求項７記載の基板ハンドリング及び加熱システム。
【請求項１０】
前記ＬＥＤアレイの複数のＬＥＤは前記基板の全体より小さい前記基板の一部分の上方に配置される、請求項４記載の基板ハンドリング及び加熱システム。
【請求項１１】
前記複数のＬＥＤは、前記基板の中心部より基板の外側部により多くの光が照明されるようなパターンに配置される、請求項１０記載の基板ハンドリング及び加熱システム。
【請求項１２】
処理チャンバ内に配置された基板ハンドリングロボットと、
前記処理チャンバ内に配置されたアライメントステーションと、
アライメントプロセス中に基板を加熱するために前記アライメントステーションの上方に配置された複数のＬＥＤを含むＬＥＤアレイと、
前記ＬＥＤアレイを点灯及び消灯するコントローラと、
を備える基板ハンドリング及び加熱システム。
【請求項１３】
前記コントローラは前記基板ハンドリングロボットと通信し、前記基板ハンドリングロボットの動き又は位置に基づいて前記ＬＥＤアレイを点灯する、請求項１２記載の基板ハンドリング及び加熱システム。
【請求項１４】
前記アライメントステーションは回転表面を備え、前記コントローラは前記回転表面の回転に基づいて前記ＬＥＤアレイを点灯する、請求項１２記載の基板ハンドリング及び加熱システム。
【請求項１５】
前記コントローラ、前記アライメントステーション及び前記基板ハンドリングロボットは、前記基板が前記アライメントステーションの上に置かれ且つ前記基板が回転されている間、前記コントローラにより前記ＬＥＤアレイが点灯されるように、相互通信する、請求項１２記載の基板ハンドリング及び加熱システム。
【手続補正２】
【補正対象書類名】明細書
【補正対象項目名】００３４
【補正方法】変更
【補正の内容】
【００３４】
図４はＬＥＤアレイ１５０が基板１０の一部分のみを覆う別の実施形態を示す。例えば、この実施形態では、ＬＥＤアレイ１５０は検出システム１４５の位置とは反対側の基板１０の一部分を覆うように配置される。このようにすると、ＬＥＤアレイ１５０により放射された光は検出システム１４５を妨害し得ない。基板１０は回転表面１４１上にある間に回転されるため、ＬＥＤアレイ１５０が基板１０の表面積より小さくても、基板１０のすべての部分が均等に加熱される。
【手続補正３】
【補正対象書類名】明細書
【補正対象項目名】００３７
【補正方法】変更
【補正の内容】
【００３７】
ＬＥＤアレイ１５０は複数の異なる形状に形成してもよい。例えば、特定の実施形態では、ＬＥＤアレイ１５０は円形アレイであり、その直径は基板１０の直径より僅かに大きくしてもよい。この実施形態では、ＬＥＤは基板１０全体に配列することができる。他の実施形態では、コントローラ１６０がＬＥＤアレイ１５０内の各ゾーンに供給される電力を変化させてもよい。
【手続補正４】
【補正対象書類名】明細書
【補正対象項目名】００５４
【補正方法】変更
【補正の内容】
【００５４】
最初に、基板１０は、ステップ８００に示すように、基板はロボット１３０ａ−ｂによってプラテン１１５から取り出される。基板ハンドリングロボット１３０ａ−ｂはその後、ステップ８１０に示すように、基板１０をアライメントステーション１４０の上に置く。特定の実施形態では、回転表面１４１が回転を開始し得る。他の実施形態では、回転表面１４１は静止したままにしてよい。その後、ステップ８２０に示すように、ＬＥＤアレイ１５０が駆動され、基板１０を温めることができる。このウォーミングプロセス中に、基板のアライメントを実行してもよいし、しなくてもよい。基板１０が目標の温度に達した後に、回転表面１４１は回転していれば停止され、ステップ８３０に示すように、基板１０を基板ハンドリングロボット１３０ａ−ｂによってアライメントステーション１４０から取り出すことができる。基板ハンドリングロボット１３０ａ−ｂはその後、ステップ８４０に示すように、温められた基板をロードロック１２０ａ−ｂ内に置く。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
メディアデータを管理するためのコンピュータで実行される方法であって、
時間コード化されたスキルパフォーマンスイベントデータを受信するステップであって、該時間コード化されたスキルパフォーマンスイベントデータは、モーションベーススキルの身体的パフォーマンスと、実行される前記モーションベーススキルの徴候とを表し、前記時間コード化されたパフォーマンスイベントデータは、エンドユーザハードウェア内の複数のモーションセンサユニット（ＭＳＵ）から導出されるモーションセンサデータ（ＭＳＤ）の処理に基づいて定義され、前記エンドユーザハードウェアは、前記複数のＭＳＵから導出される前記ＭＳＤに基づいて前記モーションベーススキルの任意の身体的パフォーマンスを識別するように前記エンドユーザハードウェアを構成する状態エンジンデータをダウンロードするように前もって作動させられる、ステップと、
モーションベーススキルの１つ又はそれよりも多くの身体的パフォーマンスを取り込むビデオデータを含むビデオソースにアクセスするステップと、
前記時間コード化されたスキルパフォーマンスデータに対応する前記ビデオデータの部分を識別するステップと、
前記ビデオデータの前記部分を見るユーザアクセスを提供するステップとを含む、
方法。
【請求項２】
実行されるべき活動の選択を受信するステップと、
前記状態エンジンデータを前記エンドユーザハードウェアに送信するステップとを更に含む、
請求項１に記載の方法。
【請求項３】
前記時間コード化されたスキルパフォーマンスイベントデータは、（ｉ）実行される前記モーションベーススキルについての名前識別子と、（ｉｉ）実行される前記モーションベーススキルの１つ又はそれよりも多くの徴候とを含む、パフォーマンス属性を含む、請求項１に記載の方法。
【請求項４】
前記１つ又はそれよりも多くの徴候は、１つ又はそれよりも多くのパフォーマンスに影響を与える要因と関連付けられるモーションベース属性に基づいて定義される、請求項３に記載の方法。
【請求項５】
クエリを提出するようユーザインターフェースを提供するステップと、
所与のクエリが前記モーションベーススキル及び前記徴候を特定することに応答して、
前記所与のクエリを満足する前記時間コード化されたスキルパフォーマンスイベントデータを識別するステップと、
前記時間コード化されたスキルパフォーマンスイベントデータと関連付けられる前記ビデオデータの前記部分を識別するステップとを更に含む、
請求項３に記載の方法。
【請求項６】
前記１つ又はそれよりも多くの徴候のうちの少なくとも１つは、定義される最適なパフォーマンスに対する前記モーションベーススキルの前記パフォーマンスに基づいて定義される、請求項３に記載の方法。
【請求項７】
実行される前記モーションベーススキルの前記徴候及び前記モーションベーススキルの前記身体的パフォーマンスを識別するために前記エンドユーザハードウェア内の前記ＭＳＵからの前記ＭＳＤを分析するステップと、
前記モーションベーススキル及び前記モーションベーススキルの前記徴候で前記時間コード化されたスキルパフォーマンスイベントデータを定義するステップとを更に含む、
請求項１に記載の方法。
【請求項８】
時間コード化されたスキルパフォーマンスデータに対応する前記ビデオデータの前記部分を識別するステップは、時間コード相関に基づく、請求項１に記載の方法。
【請求項９】
時間コード相関に基づく前記時間コード化されたスキルパフォーマンスデータに対応する前記ビデオデータの前記部分を識別するステップは、前記ビデオデータについてのマーカを定義するステップ又は前記ビデオデータからクリップを抽出するステップを含む、請求項１に記載の方法。
【請求項１０】
時間コード化されたスキルパフォーマンスイベントデータは、パフォーマンス場所情報を含み、
前記ビデオデータは、ビデオ場所データと関連付けられ、
前記ビデオデータの前記部分を前記時間コード化されたスキルパフォーマンスデータに関連付けるステップは、前記パフォーマンス場所情報と前記ビデオ場所データとの間の場所情報相関に更に基づく、
請求項１に記載の方法。
【請求項１１】
前記パフォーマンス場所情報は、ＧＰＳ場所情報又はカメラの取込みゾーン内の特徴の場所を含む、請求項１０に記載の方法。
【請求項１２】
時間とユーザとに関連付けられるローカルインタラクションイベントを表すデータを維持するステップを更に含み、
前記時間コード化されたスキルパフォーマンスイベントデータは、タイミング情報及び前記ユーザと関連付けられ、
当該方法は、前記時間、前記タイミング情報、及び前記ユーザに基づいて、前記モーションベーススキルのパフォーマンスと前記ローカルインタラクションイベントのうちの１つとの間の相関を識別するステップを更に含む、
請求項１に記載の方法。
【請求項１３】
ビデオデータレポジトリへのアクセスを維持するステップと、
１つ又はそれよりも多くのパフォーマンスイベントデータレポジトリへのアクセスを維持するステップとを更に含む、
請求項１に記載の方法。
【請求項１４】
前記時間コード化されたスキルパフォーマンスイベントデータから導出されるグラフィカルデータで前記ビデオデータの前記部分を同時にレンダリングするステップを更に含む、請求項１に記載の方法。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
交流電圧を受け取るよう適合される入力部を備える整流器と、
前記整流器から電力を供給されるよう接続される少なくとも第１及び第２ＬＥＤ組立体とを含む照明回路であって、
前記第１ＬＥＤ組立体が、前記整流器の第１出力部と電気的に直列接続され、前記第１ＬＥＤ組立体が、更に、スイッチングコンバータ回路の入力部と電気的に直列接続され、
前記第２ＬＥＤ組立体が、前記スイッチングコンバータ回路の出力部に電気的に接続され、
前記第１ＬＥＤ組立体の動作を制御するよう適合される制御装置が、前記第１ＬＥＤ組立体と前記スイッチングコンバータ回路の入力部との直列接続部におけるタップに接続される照明回路。
【請求項２】
前記制御装置が、前記整流器によって整流された前記交流電圧の瞬間的な大きさに依存して少なくとも導電状態及び非導電状態に制御されるよう適合されるスイッチング素子を有し、前記スイッチング素子が、前記導電状態において前記第１ＬＥＤ組立体をバイパスするよう接続され、
前記スイッチングコンバータ回路が、前記第１ＬＥＤ組立体も流れる電流を受け取るよう適合されるように、前記第１ＬＥＤ組立体が、更に、前記スイッチングコンバータ回路の前記入力部と電気的に直列接続される請求項１に記載の照明回路。
【請求項３】
前記制御装置が、前記タップと前記整流器の第２出力部への帰還路との間に接続される制御可能な電流源を有する請求項１乃至２のいずれか一項に記載の照明回路。
【請求項４】
前記スイッチングコンバータ回路が、少なくとも、リアクタンス素子、制御可能なスイッチング素子、及び繰り返し交互に導電状態と非導電状態とにするよう前記制御可能なスイッチング素子を制御するよう適合される制御回路を有する請求項１乃至３のいずれか一項に記載の照明回路。
【請求項５】
少なくとも第３ＬＥＤ組立体が、前記直列接続部において、前記整流器の前記第１出力部と、前記スイッチングコンバータの前記入力部との間に電気的に接続され、
前記第３ＬＥＤ組立体の動作を制御するよう適合される前記制御装置が、前記第３ＬＥＤ組立体と前記整流器の前記第１出力部と前記スイッチングコンバータの前記入力部との直列接続部におけるタップに接続される請求項１乃至４のいずれか一項に記載の照明回路。
【請求項６】
前記スイッチングコンバータ回路が、少なくとも２つの入力端子を有し、
前記２つの入力端子の間にコンデンサが接続される請求項１乃至５のいずれか一項に記載の照明回路。
【請求項７】
前記コンデンサが、少なくとも前記第１ＬＥＤ組立体に電気的に直列接続される請求項６に記載の照明回路。
【請求項８】
前記ＬＥＤ組立体のうちの少なくとも１つが、直列、並列又は直列／並列接続において電気的に接続される複数のＬＥＤ素子を有する請求項１乃至７のいずれか一項に記載の照明回路。
【請求項９】
安定化コンデンサが、前記ＬＥＤ組立体のうちの少なくとも１つと電気的に並列接続される請求項１乃至８のいずれか一項に記載の照明回路。
【請求項１０】
前記第２ＬＥＤ組立体が、前記第１ＬＥＤ組立体と電気的に直列接続される請求項１乃至９のいずれか一項に記載の照明回路。
【請求項１１】
前記第２ＬＥＤ組立体が、前記第１ＬＥＤ組立体と前記スイッチングコンバータ回路の入力部との間に電気的に接続される請求項１乃至１０のいずれか一項に記載の照明回路。
【請求項１２】
電流源が、前記第１ＬＥＤ組立体と電気的に直列接続される請求項１乃至１１のいずれか一項に記載の照明回路。
【請求項１３】
照明回路を動作させる方法であり、
整流器に交流電圧を供給して、前記整流器から少なくとも第１及び第２ＬＥＤ組立体に電力を供給するステップを有する方法であって、
前記第１ＬＥＤ組立体が、前記整流器の第１出力部と電気的に直列接続され、前記第１ＬＥＤ組立体が、スイッチングコンバータ回路の入力部と電気的に直列接続され、
前記第２ＬＥＤ組立体が、前記スイッチングコンバータ回路の出力部に電気的に接続され、
前記第１ＬＥＤ組立体の動作を制御するよう適合される制御装置が、前記第１ＬＥＤ組立体と前記スイッチングコンバータ回路の入力部との直列接続部におけるタップに接続される方法。
【請求項１４】
前記スイッチングコンバータ回路が、前記第１ＬＥＤ組立体も流れる電流を受け取るよう適合されるように、前記第１ＬＥＤ組立体が、更に、前記スイッチングコンバータ回路の前記入力部と電気的に直列接続される請求項１３に記載の方法。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
１，１，２，２−テトラフルオロエタンと、
１，１−ジフルオロエタン、１，２−ジフルオロエタン、１，１，１−トリフルオロエタン、ジフルオロメタン、オクタフルオロシクロブタン、１，１，１，２，３，４，４，４−オクタフルオロ−２−ブテン、１，１，１，２，３，３，３−ヘプタフルオロプロパン、１，１，３，３，３−ペンタフルオロプロペン、１，１，１，２，２−ペンタフルオロプロパン、１，２，３，３，３−ペンタフルオロプロペン、ペンタフルオロエタン、クロロジフルオロメタン、２−クロロ−１，１，１，２−テトラフルオロエタン、１−クロロ−１，１，２，２−テトラフルオロエタン、塩化メチル、クロロフルオロメタン、１，２−ジクロロ−１，１，２，２−テトラフルオロエタン、１，１−ジクロロ−１，２，２，２−テトラフルオロエタン、１，１−ジフルオロエチレン及び１，１，２−トリフルオロエチレン並びにこれらの組合せから成る群から選択される少なくとも１つの追加の化合物と、
を含む組成物。
【請求項２】
１，３，３，３−テトラフルオロプロペン、１，１，２−トリフルオロエタン、１，１，１，２−テトラフルオロエタン、１，１，１，２，２，３，３−ヘプタフルオロプロパン及びフルオロエタンから成る群から選択される少なくとも１つの化合物を更に含む、請求項１に記載の組成物。
【請求項３】
約１ｐｐｍ〜約１０００ｐｐｍの少なくとも１つのトレーサー化合物を更に含む、請求項１または２に記載の組成物。
【請求項４】
約１〜約９９重量％のＨＦＣ−１３４及び約９９〜約１重量％のＨＦＣ−１５２ａを含む、請求項１〜３のいずれかに記載の組成物。
【請求項５】
約１〜約９８重量％のＨＦＣ−１３４、約１〜約９８重量％のＨＦＣ−１５２ａ及び約１〜約９８重量％のＥ−ＨＦＯ−１２３４ｚｅを含む、請求項１〜４のいずれかに記載の組成物。
【請求項６】
冷却を生じさせる方法であって、冷却する物体の近傍で請求項１〜５のいずれかに記載の組成物を蒸発させること、及び、その後に前記組成物を凝縮させることを含む方法。
【請求項７】
加熱を生じさせる方法であって、加熱する物体の近傍で請求項１〜５のいずれかに記載の組成物を凝縮させること、及び、その後に前記組成物を蒸発させることを含む方法。
【請求項８】
高温ヒートポンプにおいて加熱を生じさせる方法であって、カスケード構成で配置された少なくとも２つの段階間で熱が交換され、
第１のカスケード段階において、選択されたより低い温度で第１の作動流体中に熱を吸収することと、この熱を、より高い温度で熱を供給する第２のカスケード段階の第２の作動流体に伝達することとを含み、前記第１又は第２の作動流体が、請求項１〜５のいずれかに記載の組成物を含む方法。
【請求項９】
高温ヒートポンプ装置における凝縮機の動作温度を上昇させる方法であって、
請求項１〜５のいずれかに記載の組成物を含む作動流体を前記高温ヒートポンプ装置に充填することを含む方法。
【請求項１０】
請求項１〜５のいずれかに記載の組成物を含む作動流体を収容する高温ヒートポンプ装置。
【請求項１１】
高温ヒートポンプにおける作動流体としての、請求項１〜５のいずれかに記載の組成物の使用。
【請求項１２】
高温ヒートポンプにおけるＨＦＣ−１３４ａを代替する方法であって、前記高温ヒートポンプに請求項１〜５のいずれかに記載の組成物を充填することを含み、前記高温ヒートポンプが、遠心圧縮機を含む方法。
【請求項１３】
熱を機械エネルギーに変換するプロセスであって、請求項１〜５のいずれかに記載の組成物を含む作動流体を加熱すること、及び、その後に加熱された作動流体を膨張させることを含むプロセス。